(57)【要約】  物理制御フォーマット指示チャネルのマッピング方法が開示される。物理制御フォーマット指示チャネルのためのシンボルインデックスに比例する変数と下りリンクで伝送されるリソースブロックの個数とを乗じた後に２で割った値を切り捨てることによって物理制御フォーマット指示チャネルをマッピングするためのリソース要素の開始位置を決定し、続いて、この開始位置にシンボルをマッピングする。これにより、物理制御フォーマット指示チャネルのマッピング時に、簡単なマッピング規則を適用することによって、リソース要素を浪費したりマッピングが不可能になったりする問題を解決することができる。【選択図】図３
2011507383.tif 000002
【特許請求の範囲】
【請求項１】
リソース要素グループ単位で物理制御フォーマット指示チャネルシンボルをマッピングする方法であって、
前記物理制御フォーマット指示チャネルのためのシンボルインデックスに比例する変数と下りリンクで伝送されるリソースブロックの個数とを乗じた後に２で割った値を切り捨てて、前記物理制御フォーマット指示チャネルシンボルをマッピングするためのリソース要素の開始位置を決定する段階と、
前記開始位置に前記シンボルをマッピングする段階と、
を含む、物理制御フォーマット指示チャネルのマッピング方法。
【請求項２】
前記開始位置を決定する段階は、
物理層セルＩＤによって前記物理制御フォーマット指示チャネルの最初の開始位置を決定する段階を含む、請求項１に記載の物理制御フォーマット指示チャネルのマッピング方法。
【請求項３】
【数１】
2011507383.tif 000056
が物理層セルＩＤ、
【数２】
2011507383.tif 000057
が下りリンクで伝送されるリソースブロックの個数、
【数３】
2011507383.tif 000058
がリソースブロック当たりのリソース要素の個数を表す場合、
【数４】
2011507383.tif 000059
の時、前記シンボルをマッピングする段階は、
４個の前記グループのうち１番目のグループのシンボルは、ｋ＝ｋ0の位置から始まるリソース要素にマッピングする段階と、
前記４個のグループのうち２番目のグループのシンボルは、
【数５】
2011507383.tif 000060
の位置から始まるリソース要素にマッピングする段階と、
前記４個のグループのうち３番目のグループのシンボルは、
【数６】
2011507383.tif 000061
の位置から始まるリソース要素にマッピングする段階と、
前記４個のグループのうち４番目のグループのシンボルは、
【数７】
2011507383.tif 000062
の位置から始まるリソース要素にマッピングする段階と、
を含む、請求項１に記載の物理制御フォーマット指示チャネルのマッピング方法。
【請求項４】
【数８】
2011507383.tif 000063
が物理層セルＩＤ、
【数９】
2011507383.tif 000064
が下りリンクで伝送されるリソースブロックの個数、
【数１０】
2011507383.tif 000065
がリソースブロック当たりのリソース要素の個数を表す場合、
【数１１】
2011507383.tif 000066
の時、前記シンボルをマッピングする段階は、
４個の前記グループのうち１番目のグループのシンボルは、ｋ＝ｋ0の位置から始まるリソース要素にマッピングする段階と、
前記４個のグループのうち２番目のグループのシンボルは、
【数１２】
2011507383.tif 000067
の位置から始まるリソース要素にマッピングする段階と、
前記４個のグループのうち３番目のグループのシンボルは、
【数１３】
2011507383.tif 000068
の位置から始まるリソース要素にマッピングする段階と、
前記４個のグループのうち４番目グループのシンボルは、
【数１４】
2011507383.tif 000069
の位置から始まるリソース要素にマッピングする段階と、
を含む、請求項１に記載の物理制御フォーマット指示チャネルのマッピング方法。
【請求項５】
前記シンボルをマッピングする段階は、
１番目のＯＦＤＭシンボルにマッピングする場合、基準信号のリソース要素を除く位置に前記シンボルをマッピングする段階を含む、請求項１に記載の物理制御フォーマット指示チャネルのマッピング方法。
【請求項６】
リソース要素グループ単位で物理制御フォーマット指示チャネルシンボルをマッピングする方法であって、
下りリンクで伝送されるリソースブロックの個数が奇数であれば、前記リソースブロックの個数から１を引いた値を用いて、前記物理制御フォーマット指示チャネルシンボルをマッピングするためのリソース要素の開始位置を決定する段階と、
前記開始位置に前記シンボルをマッピングする段階と、
を含む、物理制御フォーマット指示チャネルのマッピング方法。
【請求項７】
前記開始位置を決定する段階は、
物理層セルＩＤによって前記物理制御フォーマット指示チャネルの最初の開始位置を決定する段階を含む、請求項６に記載の物理制御フォーマット指示チャネルのマッピング方法。
【請求項８】
【数１５】
2011507383.tif 000070
が物理層セルＩＤ、
【数１６】
2011507383.tif 000071
が下りリンクで伝送されるリソースブロックの個数、
【数１７】
2011507383.tif 000072
がリソースブロック当たりのリソース要素の個数を表す場合、
【数１８】
2011507383.tif 000073
の時、前記シンボルをマッピングする段階は、
４個の前記グループのうち１番目のグループのシンボルは、ｋ＝ｋ0の位置から始まるリソース要素にマッピングする段階と、
前記４個のグループのうち２番目のグループのシンボルは、
【数１９】
2011507383.tif 000074
の位置から始まるリソース要素にマッピングする段階と、
前記４個のグループのうち３番目のグループのシンボルは、
【数２０】
2011507383.tif 000075
の位置から始まるリソース要素にマッピングする段階と、
前記４個のグループのうち４番目グループのシンボルは、
【数２１】
2011507383.tif 000076
の位置から始まるリソース要素にマッピングする段階と、
を含む、請求項６に記載の物理制御フォーマット指示チャネルのマッピング方法。
【請求項９】
前記シンボルをマッピングする段階は、
１番目のＯＦＤＭシンボルにマッピングする場合、基準信号のリソース要素を除く位置に前記シンボルをマッピングする段階を含む、請求項６に記載の物理制御フォーマット指示チャネルのマッピング方法。
【発明の詳細な説明】
【技術分野】
【０００１】
本発明は、セルラ直交周波数分割多重（Orthogonal Frequency Division Multiplexing；ＯＦＤＭ）無線パケット通信システムにおいて下りリンクで伝送される信号の周波数及びＯＦＤＭシンボル領域に対するマッピング方式に関するもので、特に、物理制御フォーマット指示チャネル（Physical Control Format Indicator Channel；ＰＣＦＩＣＨ）のマッピング時に、簡単なマッピング規則の適用によって、リソース要素を浪費したりマッピングが不可能になったりする問題を解決することができるマッピング方法に関する。
【背景技術】
【０００２】
ＯＦＤＭ無線パケット通信システムの下りリンクを通じてデータを伝送する時、いくつのＯＦＤＭシンボルが制御チャネルを伝送するのに使われるかを各端末に知らせると、各端末にとって制御チャネルの情報を利用する上で多くの利点を得ることができる。特に、３ＧＰＰ ＬＴＥシステムでは、制御チャネルのために使用するＯＦＤＭシンボルの個数を知らせるチャネルを物理制御フォーマット指示チャネル(Physical control format indicator channel；ＰＣＦＩＣＨ)と定義する。
【０００３】
より具体的には、３ＧＰＰ ＬＴＥシステムでＰＣＦＩＣＨは、制御チャネルの伝送のために使われるＯＦＤＭシンボルの個数が１、２または３のうちのいずれであるかによって３つの状態を表す２ビットで表現され、この２ビットは、チャネルコーディングによって３２ビットに増加し、４相位相変調（quadrature phase shift keying；ＱＰＳＫ）を通じて１６個のＱＰＳＫシンボルで表される。このＰＣＦＩＣＨは、常にサブフレームの１番目のＯＦＤＭシンボルを通じてのみ伝送され、伝送のための周波数領域におけるマッピング方式は、次の通りである。
【０００４】
y(0)，…，y(3)は、ｋ＝ｋ0の位置から始まるリソース要素にマッピングし、y(4)，…，y(7)は、
【数１】
2011507383.tif 000003
の位置から始まるリソース要素にマッピングし、y(8)，…，y(11)は、
【数２】
2011507383.tif 000004
の位置から始まるリソース要素にマッピングし、y(12)，…，y(15)は、
【数３】
2011507383.tif 000005
の位置から始まるリソース要素にマッピングする。ここで、開始点をシフトするための値は
【数４】
2011507383.tif 000006
である。
【０００５】
これらの足し算は、
【数５】
2011507383.tif 000007
のモジュラ演算を含み、
【数６】
2011507383.tif 000008
は、物理層セルＩＤ（識別子）を表す。
【０００６】
上記のマッピング規則で、y(0)，…，y(15)は、１６個のＱＰＳＫシンボルを表し、
【数７】
2011507383.tif 000009
は、下りリンクで伝送されるリソースブロック（resource block）の個数を表し、
【数８】
2011507383.tif 000010
は、リソースブロック当たりのリソース要素（Resource Element；ＲＥ）の個数を表す。各セルによってそれぞれ異なるセルＩＤ
【数９】
2011507383.tif 000011
によってｋ0値が決定され、このｋ0値を開始点として、シンボルは、下りリンク周波数帯域全体で周波数ダイバーシティ利得を得るために、基準信号（Reference Signal；ＲＳ）の伝送のために使われない４個の隣接したリソース要素で構成された４個の周波数領域に分散して伝送される。ここで、基準信号の伝送のために使われない４個の隣接したリソース要素を使用する理由は、他の制御チャネルが、基準信号伝送のために使われない４個の隣接したリソース要素で構成されたリソース要素グループ（Resource Element Group；ＲＥＧ）単位で構成されていることに着目し、これと同一の方式でマッピングすることによって他の制御チャネルとＰＣＦＩＣＨとのマルチプレクシングを效率的に行うためである。
【０００７】
しかしながら、上記のようなマッピング方式でＰＣＦＩＣＨをマッピングすると、次のような問題点が生じうる。
【０００８】
第一に、３ＧＰＰ ＬＴＥシステムにおける一般のサブフレーム構造において
【数１０】
2011507383.tif 000012
のとき、
【数１１】
2011507383.tif 000013
が奇数であれば、４個の周波数領域のうち、２番目と４番目の周波数領域が２個のリソース要素グループにわたってマッピングされる。
【０００９】
図１は、従来のマッピング方法で４個のシンボルが２個のリソース要素グループにマッピングされる場合を示す図である。
【００１０】
図１に示すように、
【数１２】
2011507383.tif 000014
が偶数の場合、ＰＣＦＩＣＨ伝送のための４個の周波数領域は、他の制御チャネル伝送のためのリソース要素グループ単位と一致するが、
【数１３】
2011507383.tif 000015
が奇数の場合は、２番目と４番目の周波数領域が２個のリソース要素グループにわたってマッピングされる。この場合、リソース要素グループは、基準信号の伝送に使われない４個の隣接したリソース要素で構成されているため、４個の隣接したリソース要素の両側に２個ずつ残されるリソース要素は、制御チャネル伝送のために使用することができず、リソースの浪費となる。
【００１１】
第二に、上記マッピング規則ではマッピング不可能な領域が発生する。
【００１２】
周波数マッピング領域は、セルごとに固有の値である
【数１４】
2011507383.tif 000016
によって異なってくる。これにより、隣接したセルＩＤを持つセル間のＰＣＦＩＣＨ伝送による干渉を減らすことができるが、この
【数１５】
2011507383.tif 000017
値は、現在の３ＧＰＰ ＬＴＥ標準によると、０〜５０３まで５０４個の値からなっている。そこで、
【数１６】
2011507383.tif 000018
値が奇数の場合、
【数１７】
2011507383.tif 000019
の値によってＰＣＦＩＣＨ伝送のための周波数マッピングが不可能な領域が発生する。
【００１３】
図２は、
【数１８】
2011507383.tif 000020
の値によってＰＣＦＩＣＨ伝送のための周波数領域に実際マッピングの不可能な領域が発生する場合を示す図である。例えば、
【数１９】
2011507383.tif 000021
の時、４個の連続したリソース要素に割り当てられる周波数領域が、実際に伝送可能な周波数領域から外れる問題が発生する。この場合は、ＰＣＦＩＣＨを該当の領域に割り当てることができない。
【発明の概要】
【発明が解決しようとする課題】
【００１４】
したがって、本発明は、ＰＣＦＩＣＨのマッピング時にリソース要素を浪費したりマッピングが不可能になったりする問題を解消できる方法を提供することを技術的課題とする。
【課題を解決するための手段】
【００１５】
上記の技術的課題を解決するために、本発明の一実施例によるＰＣＦＩＣＨシンボルをリソース要素グループ単位でマッピングする方法が提供される。このＰＣＦＩＣＨシンボルのマッピング方法は、下りリンクで伝送されるリソースブロックの個数が偶数であると、従来のマッピング方法を使用し、下りリンクで伝送されるリソースブロックの個数が奇数であると、前記リソースブロックの個数から１を引いた値を用いて、前記ＰＣＦＩＣＨのシンボルをマッピングするためのリソース要素の開始位置を決定し、該開始位置に前記シンボルをマッピングする過程を含む。
【００１６】
好ましくは、前記開始位置を決定する過程で、物理層セルＩＤによって前記ＰＣＦＩＣＨの最初の開始位置を決定することができる。
【００１７】
好ましくは、前記シンボルをマッピングする過程は、４個のグループのうち、１番目のグループのシンボルは、ｋ＝ｋ0の位置から始まるリソース要素にマッピングし、２番目のグループのシンボルは、
【数２０】
2011507383.tif 000022
の位置から始まるリソース要素にマッピングし、３番目のグループのシンボルは、
【数２１】
2011507383.tif 000023
の位置から始まるリソース要素にマッピングし、４番目グループのシンボルは、
【数２２】
2011507383.tif 000024
の位置から始まるリソース要素にマッピングする過程を含む。
【００１８】
好ましくは、前記シンボルをマッピングする過程で、１番目のＯＦＤＭシンボルにマッピングする場合、基準信号のリソース要素を除く位置に前記シンボルをマッピングすることができる。
【００１９】
上記の技術的課題を解決するために、本発明の他の実施例によるＰＣＦＩＣＨシンボルのマッピング方法は、ＰＣＦＩＣＨのためのシンボルのインデックスに比例する変数と下りリンクで伝送されるリソースブロックの個数とを乗じて２で割った値を切り捨て（Floor）て、前記ＰＣＦＩＣＨシンボルをマッピングするためのリソース要素の開始位置を決定し、前記開始位置に前記シンボルをマッピングする過程を含む。
【００２０】
好ましくは、前記開始位置を決定する過程で、物理層セルＩＤによって前記ＰＣＦＩＣＨの最初の開始位置を決定できる。
【００２１】
好ましくは、前記シンボルをマッピングする過程で、４個のグループのうち、１番目のグループのシンボルは、ｋ＝ｋ0の位置から始まるリソース要素にマッピングし、２番目のグループのシンボルは、
【数２３】
2011507383.tif 000025
の位置から始まるリソース要素にマッピングし、３番目グループのシンボルは、
【数２４】
2011507383.tif 000026
の位置から始まるリソース要素にマッピングし、４番目グループのシンボルは、
【数２５】
2011507383.tif 000027
の位置から始まるリソース要素にマッピングすることができる。
【００２２】
または、前記シンボルをマッピングする過程で、４個のグループのうち、１番目のグループのシンボルは、ｋ＝ｋ0の位置から始まるリソース要素にマッピングし、２番目のグループのシンボルは、
【数２６】
2011507383.tif 000028
の位置から始まるリソース要素にマッピングし、３番目のグループのシンボルは、
【数２７】
2011507383.tif 000029
の位置から始まるリソース要素にマッピングし、４番目グループのシンボルは、
【数２８】
2011507383.tif 000030
の位置から始まるリソース要素にマッピングすることができる。
【００２３】
好ましくは、前記シンボルをマッピングする過程で、１番目のＯＦＤＭシンボルにマッピングする場合、基準信号のリソース要素を除く位置に前記シンボルをマッピングすることができる。
【発明の効果】
【００２４】
本発明の実施例によると、ＰＣＦＩＣＨのマッピング時に簡単なマッピング規則を適用することによってリソース要素を浪費したりマッピングが不可能になったりする問題を解決することができる。
【図面の簡単な説明】
【００２５】
【図１】従来のマッピング方法で４個のシンボルが２個のリソース要素グループにマッピングされる場合を示す図である。
【図２】従来のマッピング方法でシンボルマッピングが不可能な場合を示す図である。
【図３】本発明の一実施例による物理制御フォーマット指示チャネルのマッピング方法を示すフローチャートである。
【図４】本発明の他の実施例による物理制御フォーマット指示チャネルのマッピング方法を示すフローチャートである。
【図５】２個以下の伝送アンテナを使用する場合におけるリソース要素グループの一例を示す図である。
【図６】４個の伝送アンテナを使用する場合におけるリソース要素グループの一例を示す図である。
【図７】セルＩＤによる物理制御フォーマット指示チャネルマッピングの一例を示す図である。
【発明を実施するための形態】
【００２６】
添付図面は、本発明をより良く理解するために包含されており、本発明の実施形態を例示し、明細書の記載と共に本発明の主旨を説明するためのものである。
【００２７】
以下、添付の図面を参照しつつ、本発明の例示の実施例について詳細に説明する。以下の詳細な説明は、本発明によって実施可能な限られた実施形態を示すというより、むしろ、本発明の例示の実施形態を説明することを意図している。
【００２８】
まず、本発明の一実施例では
【数２９】
2011507383.tif 000031
値によって、異なるマッピング規則を適用する方式を提案する。
【００２９】
従来のマッピング方式では
【数３０】
2011507383.tif 000032
が偶数の場合は、上記の問題点が発生しないので、
【数３１】
2011507383.tif 000033
が偶数の場合は、従来のマッピング方式をそのまま使用し、
【数３２】
2011507383.tif 000034
が奇数の場合は、下記のマッピング方式を使用する。
【００３０】
以下で、y(0)，…，y(15)は、１６個のＱＰＳＫシンボルを表し、
【数３３】
2011507383.tif 000035
は、下りリンクで伝送されるリソースブロックの個数を表し、
【数３４】
2011507383.tif 000036
は、リソースブロック当たりのリソース要素の個数を表す。
【００３１】
【数３５】
2011507383.tif 000037
が奇数の場合、本発明の一実施例によるマッピング方法によれば、y(0)，…，y(3）は、ｋ＝ｋ0の位置から始まるリソース要素にマッピングし、y(4)，…，y(7)は、
【数３６】
2011507383.tif 000038
の位置から始まるリソース要素にマッピングし、y(8)，…，y(11）は、
【数３７】
2011507383.tif 000039
の位置から始まるリソース要素にマッピングし、y(12)，…，y(15)は、
【数３８】
2011507383.tif 000040
の位置から始まるリソース要素にマッピングする。
【００３２】
図３は、本発明の一実施例によるＰＣＦＩＣＨマッピング方法を示すフローチャートである。
【００３３】
まず、ＰＣＦＩＣＨマッピングのためのシンボルインデックス（ｉ）を０に初期化する（Ｓ３１０）。
【００３４】
次に、
【数３９】
2011507383.tif 000041
が奇数であるか判断する（Ｓ３２０）。この時、
【数４０】
2011507383.tif 000042
が奇数なら、
【数４１】
2011507383.tif 000043
を用いてＰＣＦＩＣＨの４個のシンボルをマッピングするリソース要素の位置を決定し、該当の位置にマッピングする（Ｓ３３０）。
【００３５】
一方、
【数４２】
2011507383.tif 000044
が偶数なら、
【数４３】
2011507383.tif 000045
を用いてＰＣＦＩＣＨの４個のシンボルをマッピングするリソース要素の位置を決定し、該当の位置にマッピングする（Ｓ３４０）。
【００３６】
マッピングが完了すると、シンボルインデックス（ｉ）を‘４’増加させる（Ｓ３５０）。
【００３７】
シンボルインデックス（ｉ）が１６未満なら（Ｓ３６０）、マッピングするシンボルが残っているということであるから、上記の過程（Ｓ３２０〜Ｓ３５０）を反復する。
【００３８】
最後に、シンボルインデックス（ｉ）が１６以上であれば（Ｓ３６０）、手順を終了する。
【００３９】
一方、本発明の他の実施例では、
【数４４】
2011507383.tif 000046
の個数が奇数か偶数かによらず、単一のマッピング方式を使用する方法を提案する。
【００４０】
すなわち、次のマッピング規則によると、
【数４５】
2011507383.tif 000047
の個数によらずに一つの数式を用いてＰＣＦＩＣＨマッピングにおける従来の問題点を解決することができる。
【００４１】
本発明の他の実施例によれば、y(0)，…，y(3)は、ｋ＝ｋ0の位置から始まるリソース要素にマッピングし、y(4)，…，y(7)は、
【数４６】
2011507383.tif 000048
の位置から始まるリソース要素にマッピングし、y(8)，…，y(11)は、
【数４７】
2011507383.tif 000049
の位置から始まるリソース要素にマッピングし、y(12)，…，y(15)は、
【数４８】
2011507383.tif 000050
の位置から始まるリソース要素にマッピングする。
【００４２】
この方式で、
【数４９】
2011507383.tif 000051
によってｋ0の値が決定されるが、ｋ0が示すインデックスが、基準信号を使用するリソース要素のインデックスと衝突する場合、ｋ0は‘１’増加されたインデックスを使用することができる。
【００４３】
図４は、本発明の他の実施例によるＰＣＦＩＣＨマッピング方法を示すフローチャートである。
【００４４】
まず、ＰＣＦＩＣＨマッピングのためのシンボルインデックス（ｉ）を０に初期化する（Ｓ４１０）。
【００４５】
次に、シンボルインデックスに比例する変数（Ｉi）と
【数５０】
2011507383.tif 000052
とを乗じて２で割った値を切り捨て（Floor）て、ＰＣＦＩＣＨをマッピングするためのリソース要素の開始位置を決定し、該当の位置にマッピングする（Ｓ４２０）。例えば、Ｉ0＝０、Ｉ4＝１、Ｉ8＝２、Ｉ12＝３などになりうる。
【００４６】
マッピングが完了すると、シンボルインデックス（ｉ）を‘４’増加させる（Ｓ４５０）。
【００４７】
シンボルインデックス（ｉ）が１６未満であれば（Ｓ４６０）、マッピングするシンボルが残っているということであるから、上記の過程（Ｓ４２０〜Ｓ４５０）を反復する。
【００４８】
最後に、シンボルインデックス（ｉ）が１６以上であれば（Ｓ４６０）、手順を終了する。
【００４９】
本発明の他の実施例による上記マッピング規則をやや変形すると、下記の通りになる。
【００５０】
すなわち、y(0)，…，y(3)は、ｋ＝ｋ0の位置から始まるリソース要素にマッピングし、y(4)，…，y(7)は、
【数５１】
2011507383.tif 000053
の位置から始まるリソース要素にマッピングし、y（8），…，y(11)は、
【数５２】
2011507383.tif 000054
の位置から始まるリソース要素にマッピングし、y(12)，…，y(15)は、
【数５３】
2011507383.tif 000055
の位置から始まるリソース要素にマッピングすることができる。
【００５１】
図５は、２個以下の伝送アンテナを使用する場合におけるリソース要素グループの一例を示す図である。
【００５２】
ＰＣＦＩＣＨが伝送される第１行のＯＦＤＭシンボル（第１ライン）では、各アンテナの基準信号が伝送されるので、一つのリソース要素グループは６個のリソース要素で構成される。２個以下の伝送アンテナを使用する場合、第２行のＯＦＤＭシンボル（第２ライン）では、基準信号が存在しないので、一つのリソース要素グループは４個のリソース要素で構成される。
【００５３】
図６は、４個の伝送アンテナを使用する場合におけるリソース要素グループの一例を示す図である。
【００５４】
ＰＣＦＩＣＨが伝送される第１行のＯＦＤＭシンボル（第１ライン）では、各アンテナの基準信号が伝送されるので、一つのリソース要素グループは６個のリソース要素で構成される。４個の伝送アンテナを使用する場合、第２行のＯＦＤＭシンボル（第２ライン）にも基準信号が存在するので、一つのリソース要素グループは６個のリソース要素で構成される。
【００５５】
図７は、セルＩＤによるＰＣＦＩＣＨマッピングの一例を示す図である。
【００５６】
図７は、システム帯域が２０個のリソースブロックに該当する場合を示す。１０個のセルＩＤに対してそれぞれ異なる開始位置を設定する。“１”で表示された位置は、上記のマッピング方法でｋ0の位置を表す。これにより、セルＩＤ間の干渉が減少する。
【００５７】
以上、図面に示した実施例を挙げて本発明を説明したが、それらに限定されず、本発明の思想及び範囲内で様々な変形及び変更が可能であるということは、当該技術分野における通常の知識を有する者にとって自明である。したがって、本発明の真の技術的保護範囲は、添付の特許請求の範囲及びその等価範囲で定められなければならない。
【産業上の利用可能性】
【００５８】
本発明は、セルラＯＦＤＭ無線パケット通信システムにおいて下りリンクで伝送される信号の周波数及びＯＦＤＭシンボル領域に対するマッピング方式に関するもので、３ＧＰＰ ＬＴＥなどのシステムにおいて基地局、端末などに適用可能である。
【図１】
2011507383.tif 000077
【図２】
2011507383.tif 000078
【図３】
2011507383.tif 000079
【図４】
2011507383.tif 000080
【図５】
2011507383.tif 000081
【図６】
2011507383.tif 000082
【図７】
2011507383.tif 000083
【手続補正書】
【提出日】平成22年6月11日(2010.6.11)
【手続補正１】
【補正対象書類名】特許請求の範囲
【補正対象項目名】全文
【補正方法】変更
【補正の内容】
【特許請求の範囲】
【請求項１】
直交周波数分割多重無線通信システムで、物理制御フォーマット指示チャネルシンボルを、下りリンクサブフレームスロットと関連した複数個の直交周波数分割多重シンボルのうち第１の直交周波数分割多重シンボルのリソース要素にマッピングする方法であって、
前記直交周波数分割多重シンボルの前記リソース要素のうち第１リソース要素の位置Ｋ0を決定する段階と、
Ｋ0、リソースブロックの数を２で割った値
【数１】
2011507383.tif 000084
及びリソースブロック当たりのリソース要素の数
【数２】
2011507383.tif 000085
の関数として、前記物理制御フォーマット指示チャネルシンボルのそれぞれを前記直交周波数分割多重シンボルの該当のリソース要素にマッピングする段階と、
を有することを特徴とするマッピング方法。
【請求項２】
前記第１リソース要素の位置Ｋ0は、物理層セル識別子
【数３】
2011507383.tif 000086
によることを特徴とする、請求項１に記載のマッピング方法。
【請求項３】
前記物理制御フォーマット指示チャネルシンボルのそれぞれをマッピングする段階は、
前記物理制御フォーマット指示チャネルシンボルを４個ずつのグループでマッピングする段階であって、与えられたグループに含まれた４個の物理制御フォーマット指示チャネルシンボルは、前記直交周波数分割多重シンボルで４個の連続したリソース要素から構成された該当のセットにマッピングされる段階を有することを特徴とする、請求項２に記載のマッピング方法。
【請求項４】
前記物理制御フォーマット指示チャネルシンボルを４個ずつのグループでマッピングする段階は、
４個の物理制御フォーマット指示チャネルシンボルで構成された第１グループを、前記直交周波数分割多重シンボルの４個の連続したリソース要素で構成された第１セットにマッピングする段階をさらに有し、
前記４個の連続したリソース要素で構成された第１セットの第１リソース要素は、前記位置Ｋ0に位置することを特徴とする、請求項３に記載のマッピング方法。
【請求項５】
前記物理制御フォーマット指示チャネルシンボルを４個ずつのグループでマッピングする段階は、
４個の物理制御フォーマット指示チャネルシンボルで構成された第２グループを、前記直交周波数分割多重シンボルの４個の連続したリソース要素で構成された第２セットにマッピングする段階をさらに有し、前記４個の連続したリソース要素で構成された第２セットの第１リソース要素は、
【数４】
2011507383.tif 000087
によって定義される位置に位置することを特徴とする、請求項４に記載のマッピング方法。
【請求項６】
前記物理制御フォーマット指示チャネルシンボルを４個ずつのグループでマッピングする段階は、
４個の物理制御フォーマット指示チャネルシンボルで構成された第３グループを、前記直交周波数分割多重シンボルの４個の連続したリソース要素で構成された第３セットにマッピングする段階をさらに有し、前記４個の連続したリソース要素で構成された第３セットの第１リソース要素は、
【数５】
2011507383.tif 000088
によって定義される位置に位置することを特徴とする、請求項５に記載のマッピング方法。
【請求項７】
前記物理制御フォーマット指示チャネルシンボルを４個ずつのグループでマッピングする段階は、
４個の物理制御フォーマット指示チャネルシンボルで構成された第４グループを、前記直交周波数分割多重シンボルの４個の連続したリソース要素で構成された第４セットにマッピングする段階をさらに有し、前記４個の連続したリソース要素で構成された第４セットの第１リソース要素は、
【数６】
2011507383.tif 000089
によって定義される位置に位置することを特徴とする、請求項６に記載のマッピング方法。
【請求項８】
前記物理制御フォーマット指示チャネルは２ビットで表し、前記２ビットの値は、前記下りリンクサブフレームスロットの制御チャネル伝送に使われる直交周波数分割多重シンボルの個数が１個、２個または３個のいずれであるかを表すことを特徴とする、請求項１に記載のマッピング方法。
【請求項９】
チャネルコーディングを通じて前記２ビットを３２ビットに増加する段階をさらに有することを特徴とする、請求項８に記載のマッピング方法。
【請求項１０】
前記３２ビットが１６個の４相位相変調シンボルで表現されるように変調する段階をさらに有することを特徴とする、請求項９に記載のマッピング方法。
【請求項１１】
直交周波数分割多重無線通信システムで、物理制御フォーマット指示チャネルシンボルを下りリンクサブフレームスロットと関連した複数個の直交周波数分割多重シンボルのうち第１の直交周波数分割多重シンボルのリソース要素にマッピングする方法であって、
物理層セル識別子
【数７】
2011507383.tif 000090
によって前記直交周波数分割多重シンボルの前記リソース要素のうち第１リソース要素の位置Ｋ0を決定する段階と、
Ｋ0、リソースブロックの数を２で割った値
【数８】
2011507383.tif 000091
及びリソースブロック当たりのリソース要素の数
【数９】
2011507383.tif 000092
の関数として、前記物理制御フォーマット指示チャネルシンボルのそれぞれを前記直交周波数分割多重シンボルの該当のリソース要素にマッピングする段階と、
前記下りサブフレームを伝送する段階と、
を有することを特徴とするマッピング方法。
【請求項１２】
前記物理制御フォーマット指示チャネルシンボルのそれぞれをマッピングする段階は、
前記物理制御フォーマット指示チャネルシンボルを４個ずつのグループでマッピングする段階であって、与えられたグループに含まれた４個の物理制御フォーマット指示チャネルシンボルは、前記直交周波数分割多重シンボルで４個の連続したリソース要素で構成された該当のセットにマッピングされる段階を有することを特徴とする、請求項１１に記載のマッピング方法。
【請求項１３】
前記物理制御フォーマット指示チャネルシンボルを４個ずつのグループでマッピングする段階は、
４個の物理制御フォーマット指示チャネルシンボルで構成された第１グループを、前記直交周波数分割多重シンボルの４個の連続したリソース要素で構成された第１セットにマッピングし、前記４個の連続したリソース要素で構成された第１セットの第１リソース要素は、前記位置Ｋ0に位置する段階と、
４個の物理制御フォーマット指示チャネルシンボルで構成された第２グループを、前記直交周波数分割多重シンボルの４個の連続したリソース要素で構成された第２セットにマッピングし、前記４個の連続したリソース要素で構成された第２セットの第１リソース要素は、
【数１０】
2011507383.tif 000093
によって定義される位置に位置する段階と、
４個の物理制御フォーマット指示チャネルシンボルで構成された第３グループを、前記直交周波数分割多重シンボルの４個の連続したリソース要素で構成された第３セットにマッピングし、前記４個の連続したリソース要素で構成された第３セットの第１リソース要素は、
【数１１】
2011507383.tif 000094
によって定義される位置に位置する段階と、
４個の物理制御フォーマット指示チャネルシンボルで構成された第４グループを、前記直交周波数分割多重シンボルの４個の連続したリソース要素で構成された第４セットにマッピングし、前記４個の連続したリソース要素で構成された第４セットの第１リソース要素は、
【数１２】
2011507383.tif 000095
によって定義される位置に位置する段階と、
を有することを特徴とする、請求項１２に記載のマッピング方法。
【請求項１４】
前記物理制御フォーマット指示チャネルは２ビットで表し、前記２ビットの値は、前記下りリンクサブフレームスロットの制御チャネル伝送に使われる直交周波数分割多重シンボルの個数が１個、２個または３個のいずれであるかを表すことを特徴とする、請求項１１に記載のマッピング方法。
【請求項１５】
チャネルコーディングを通じて前記２ビットを３２ビットに増加する段階をさらに有することを特徴とする、請求項１４に記載のマッピング方法。
【請求項１６】
前記３２ビットが１６個の４相位相変調シンボルで表現されるように変調する段階をさらに有することを特徴とする、請求項１５に記載のマッピング方法。
【国際調査報告】
2011507383.tif 000096
2011507383.tif 000097